(57)【要約】【課題】  回路基板にあるデータをバックアップするに当たり、端末装置を用意することなく、確実にデータをバックアップ可能にする。【解決手段】  第１の記憶部９は回路基板３に配置され第１のデータを記憶する。第２の記憶部１１は、回路基板３に配置され、本来の本記憶領域３ａに加えて当該記憶領域３ａの記憶データを同時にミラーバックアップするミラー記憶領域１１ｂを有する。入力部７は、回路基板３の取り外しモードおよび取り付けモードの入力指示を受け付ける。バックアップ制御部１は、取り外しモードで第１の記憶部９の第１のデータを第２の記憶部１１のミラー記憶領域１１ｂに記憶させる。バックアップ制御部１は、取り付けモードで第１のデータを交換された第１の記憶部９に記憶させる。【選択図】  図１
2011217250.tif 000002
【特許請求の範囲】
【請求項１】
第１の記憶部に記憶された第１のデータを、本来の記憶領域に加えて当該記憶領域の記憶データを同時にミラーバックアップするミラー記憶領域を有する第２の記憶部の当該ミラー記憶領域に記憶させる第１の記憶工程と、
前記第１の記憶部を交換する交換工程と、
交換された第１の記憶部に対して前記第２の記憶部の前記ミラー記憶領域に記憶された前記第１のデータを記憶させる第２の記憶工程と、
を具備することを特徴とするデータバックアップ制御方法。
【請求項２】
前記第１の記憶工程は前記第１および第２の記憶部の搭載された回路基板を機器から取り外しに際して記憶し、前記第２の記憶工程は交換されかつ前記第２の記憶部が装着された前記回路基板を前記機器に取り受けたときに記憶する請求項１記載のデータバックアップ制御方法。
【請求項３】
前記ミラー記憶領域に記憶された前記第１のデータを前記第１の記憶部に記憶させたとき、前記本来の記憶領域に記憶された記憶データを前記ミラー記憶領域に記憶し直す再記憶工程を有する請求項１又は２記載のデータバックアップ制御方法。
【請求項４】
前記交換工程は、前記回路基板から前記第２の記憶部を取り外すとともに同種の回路基板に装着する請求項１〜３いずれか１項記載のデータバックアップ制御方法。
【請求項５】
第１のデータを記憶する第１の記憶部と、本来の記憶領域に加えて当該記憶領域の記憶データを同時にミラーバックアップするミラー記憶領域を有する第２の記憶部とを搭載した回路基板と、
この回路基板の取り外しモードおよび取り付けモードの入力指示を受け付ける入力部と、
前記取り外しモードの入力指示に基づき前記第１の記憶部の前記第１のデータを前記第２の記憶部の前記ミラー記憶領域に記憶させるとともに、記憶された前記第１のデータを前記取り付けモードの入力指示に基づき前記第１の記憶部に記憶させるバックアップ制御部と、
を具備することを特徴とするデータバックアップ制御装置。
【請求項６】
前記バックアップ制御部は、前記ミラー記憶領域に記憶された前記第１のデータを前記第１の記憶部に記憶させたとき、前記本来の記憶領域に記憶された記憶データを前記ミラー記憶領域に記憶し直す請求項５記載のデータバックアップ制御装置。
【請求項７】
前記第１の記憶部は前記回路基板に配置された複数のメモリであり、前記バックアップ制御部は、前記取り外しモードの入力指示に基づき複数の前記メモリにある前記第１のデータを前記ミラー記憶領域に記憶させるとともに、前記取り付けモードの入力指示に基づき複数の前記メモリに前記第１のデータを各々記憶させる請求項５又は６記載のデータバックアップ制御装置。
【発明の詳細な説明】
【技術分野】
【０００１】
本発明はデータバックアップ制御方法およびデータバックアップ制御装置に係り、例えば、電子写真方式の複写機、ファクシミリ機、プリンタ又はこれらの機能を搭載した複合機（ＭＦＰ：Multi Function Peripheral）等の画像形成装置に用いて好適するデータバックアップ制御方法およびデータバックアップ制御装置の改良に関する。
【背景技術】
【０００２】
この種の画像形成装置にあっては、一般に、原稿上の画像情報から画像データを光学的に読み取り、その画像データに基づきトナー像を形成して用紙に転写定着させて印刷する印刷（印字）機能の他、画像データをファクシミリ送受信するファクシミリ機能、その他種々の画像データ処理機能を有している。
【０００３】
そして、画像形成装置では、それら諸機能を実現するために、プログラムによって電子データを処理する回路基板を複数組み合わせて構成している。
【０００４】
このような回路基板には、コントロールや設定パラメータ等保存の必要な固有データが存在するから、例えば、不具合等に起因してある回路基板の交換が必要になった場合、当該回路基板の交換時に内部の固有データをバックアップする仕組みが必要である。
【０００５】
従来、交換する回路基板の内部データをバックアップする構成として、例えば特開２００３−２４０３３４号公報（特許文献１）のような制御基板の交換方法が提案されている。
【０００６】
この特許文献１は、制御基板とパソコンを通信ケーブルで接続し、電磁弁およびセンサインターフェース回路の故障の有無をパソコンのディスプレイで確認する際に、該故障が確認されたときには、パソコンが、制御基板のＥＥＰＲＯＭに記憶された固有データを受信して、該固有データをＲＡＭに記憶し、これが終了して制御基板が制御基板に交換されたときに、新制御基板のマイコンが、パソコンのＲＡＭに記憶された旧制御基板の固有データを受信して、該固有データを新制御基板のＥＥＰＲＯＭに記憶する構成を有し、ガス給湯器の制御基板を交換する際に旧制御基板から新制御基板への固有データの承継を容易にしたものである。
【先行技術文献】
【特許文献】
【０００７】
【特許文献１】特開２００３−２４０３３４号公報
【発明の開示】
【発明が解決しようとする課題】
【０００８】
しかしながら、上述した特許文献１では、基板交換時に固有データを新しい基板に移すに当たり、保守点検用の端末装置が必要であり、端末装置がないと固有データを移すことが困難であるし、端末装置と基板間を接続する仕組みが必要で、コストアップになり易い。
【０００９】
そこで、本発明者は、記憶部を搭載した回路基板について鋭意観察検討を行った結果、回路基板には複数の記憶部があり、データのバックアップの必要な場合としては一部の記憶部について必要な場合が多いうえ、同一回路基板の別の記憶部には、本来の記憶領域に加えて当該記憶領域の記憶データを同時にミラーバックアップするミラー記憶領域を有するものがある点に着目して本発明を完成させた。
【００１０】
本発明はそのような課題を解決するためになされたもので、回路基板にあるデータをバックアップするに当たり、端末装置を用意することなく、回路基板に実装されている別の記憶部を使用してデータをバックアップ可能にしたデータバックアップ制御方法およびデータバックアップ制御装置の提供を目的とする。
【課題を解決するための手段】
【００１１】
そのような課題を解決するために本発明の請求項１に係るデータバックアップ制御方法は、第１の記憶部に記憶された第１のデータを、本来の記憶領域に加えて当該記憶領域の記憶データを同時にミラーバックアップするミラー記憶領域を有する第２の記憶部の当該ミラー記憶領域に記憶させる第１の記憶工程と、この第１の記憶部を交換する交換工程と、交換された第１の記憶部に対して第２の記憶部のミラー記憶領域に記憶された第１のデータを記憶させる第２の記憶工程と、を具備している。
【００１２】
本発明の請求項２に係るデータバックアップ制御方法は、上記第１の記憶工程がそれら第１および第２の記憶部の搭載された回路基板を機器から取り外しに際して記憶し、上記第２の記憶工程が交換されかつ第２の記憶部が装着された回路基板を機器に取り受けたときに記憶する構成である。
【００１３】
本発明の請求項３に係るデータバックアップ制御方法は、上記ミラー記憶領域に記憶された第１のデータをその第１の記憶部に記憶させたとき、本来の記憶領域に記憶された記憶データをそのミラー記憶領域に記憶し直す再記憶工程を有する構成である。
【００１４】
本発明の請求項４に係るデータバックアップ制御方法は、上記交換工程が、その回路基板から第２の記憶部を取り外すとともに同種の回路基板に装着する構成である。
【００１５】
本発明の請求項５に係るデータバックアップ制御装置は、第１のデータを記憶する第１の記憶部と、本来の記憶領域に加えて当該記憶領域の記憶データを同時にミラーバックアップするミラー記憶領域を有する第２の記憶部とを搭載した回路基板と、この回路基板の取り外しモードおよび取り付けモードの入力指示を受け付ける入力部と、その取り外しモードの入力指示に基づき第１の記憶部の第１のデータを第２の記憶部のミラー記憶領域に記憶させるとともに、記憶された第１のデータを取り付けモードの入力指示に基づき第１の記憶部に記憶させるバックアップ制御部と、を具備している。
【００１６】
本発明の請求項６に係るデータバックアップ制御装置は、上記バックアップ制御部が、そのミラー記憶領域に記憶された第１のデータを第１の記憶部に記憶させたとき、本来の記憶領域に記憶された記憶データをミラー記憶領域に記憶し直す構成である。
【００１７】
本発明の請求項７に係るデータバックアップ制御装置は、上記第１の記憶部が回路基板に配置された複数のメモリであり、上記バックアップ制御部が、その取り外しモードの入力指示に基づき複数のメモリにある第１のデータを記ミラー記憶領域に記憶させるとともに、その取り付けモードの入力指示に基づき複数のメモリに第１のデータを各々記憶させる構成である。
【発明の効果】
【００１８】
このような本発明の請求項１に係るデータバックアップ制御方法では、第１の記憶部に記憶された第１のデータを第２の記憶部のミラー記憶領域に記憶させ、交換された第１の記憶部に対して第２の記憶部のミラー記憶領域に記憶された第１のデータを記憶させるから、回路基板にあるデータをバックアップするに当たり、端末装置を用意することなく、回路基板に実装されている別の記憶部を使用し、簡単かつ安価にデータをバックアップ可能である。
【００１９】
本発明の請求項２に係るデータバックアップ制御方法では、それら第１および第２の記憶部の搭載された回路基板を機器から取り外しに際して、第１のデータを第２の記憶部のミラー記憶領域に記憶し、交換されかつ第２の記憶部が装着された回路基板を機器に取り受けたときに第１のデータを第２の記憶部のミラー記憶領域から記憶させるから、機器に装着された回路基板を交換する場合、当該回路基板にあるデータを簡単かつ安価にバックアップ可能である。
【００２０】
本発明の請求項３に係るデータバックアップ制御方法では、上記ミラー記憶領域に記憶された第１のデータを第１の記憶部に記憶させたとき、本来の記憶領域に記憶された記憶データをそのミラー記憶領域に記憶し直すから、第２の記憶部のデータのバックアップも確保される。
【００２１】
本発明の請求項４に係るデータバックアップ制御方法では、その回路基板から第２の記憶部を取り外すとともに同種の回路基板に装着する構成で実施するから、機器に装着された回路基板を交換する場合、第１のデータを記憶させた第２の記憶部を使い回すことが可能で、コスト低減を図り易い。
【００２２】
本発明の請求項５に係るデータバックアップ制御装置では、第１のデータを記憶する第１の記憶部とミラー記憶領域を有する第２の記憶部とを搭載した回路基板について、取り外しモードの入力指示に基づき第１の記憶部の第１のデータを第２の記憶部のミラー記憶領域に記憶させ、記憶された第１のデータを取り付けモードの入力指示に基づき第１の記憶部に記憶させるから、回路基板にあるデータをバックアップするに当たり、端末装置を用意することなく、回路基板に実装されている別の記憶部を使用し、簡単かつ安価にデータをバックアップ可能である。
【００２３】
本発明の請求項６に係るデータバックアップ制御装置では、ミラー記憶領域に記憶された第１のデータを第１の記憶部に記憶させたとき、本来の記憶領域に記憶された記憶データをミラー記憶領域に記憶し直すから、第２の記憶部のデータのバックアップも確保される。
【００２４】
本発明の請求項７に係るデータバックアップ制御装置では、取り外しモードの入力指示に基づき複数のメモリにある第１のデータを記ミラー記憶領域に記憶させるとともに、取り付けモードの入力指示に基づき複数のメモリに第１のデータを各々記憶させるから、上記第１の記憶部が複数のメモリであっても、それらのデータのバックアップを図ることが容易である。
【図面の簡単な説明】
【００２５】
【図１】本発明に係るデータバックアップ制御装置の実施の形態を示す概略ブロック図である。
【図２】本発明に係るデータバックアップ制御装置の動作を説明する図である。
【図３】本発明に係るデータバックアップ制御装置の動作を説明するフローチャートである。
【発明を実施するための最良の形態】
【００２６】
以下、本発明に係るデータバックアップ制御方法およびデータバックアップ制御装置の実施の形態を図面を参照して説明する。なお、本発明に係るデータバックアップ制御方法はデータバックアップ制御装置を説明する過程で説明する。
【００２７】
図１は本発明に係るデータバックアップ制御装置Ａの実施の一形態を示す概略ブロック図である。
【００２８】
データバックアップ制御装置Ａは、バックアップ制御部１を中心にして回路基板３、表示部５および入力部７を有して構成されている。
【００２９】
データバックアップ制御装置Ａは、図示はしないが、主制御部を中心にしてこれに接続された画像読取部、主記憶部、操作パネル部および印刷部を有する例えば複合機（画像形成装置）の一部である。
【００３０】
主制御部は、画像読取部、主記憶部、操作パネル部および印刷部を制御するものであってバックアップ制御部１としての機能を有し、画像読取部は原稿画像の表示された原稿用紙から画像状態を光学的に読み込んで電子的画像データを生成するスキャナであり、主記憶部は複合機を動作させるプログラムや画像データ等を記憶する読み書き可能な例えばハードディスク（ＨＤＤ）である。
【００３１】
操作パネル部は、複合機の動作状態を表示するとともに当該装置に対する操作指示の入力を受ける上述した表示部５および入力部７であり、印刷部は、用紙のセットされる複数の給紙段から１次給紙された用紙を２次給紙するとともに、２次給紙された用紙に対し画像データに基づき形成したトナー像を転写し、トナー像の転写された用紙を加熱定着して排紙するものである。
【００３２】
図１において、回路基板３は、その複合機を構成する主制御部、画像読取部、主記憶部、操作パネル部又は印刷部の一部を形成する個々の回路基板であり、第１の記憶部９および第２の記憶部１１を搭載しており、複合機に対して脱着可能に配置されている。
【００３３】
第１の記憶部９は、それら主制御部、画像読取部、主記憶部、操作パネル部又は印刷部に係る動作プログラム、設定パラメータである当該回路基板３に固有の第１のデータを記憶する記憶領域９ａ（図２Ａ参照）を有する読み書き可能な半導体メモリであり、回路基板３に例えば半田付けされている。
【００３４】
すなわち、第１の記憶部９は、回路基板３の回路パターン（図示せず。）に対して容易に取り外せないように接続固定されている。
【００３５】
第２の記憶部１１は、それら主制御部、画像読取部、主記憶部、操作パネル部又は印刷部に係る動作中の中間的なデータを記憶する機能を有する読み書き可能な半導体メモリ（例えばＥＥＰＲＯＭ）であり、回路基板３に例えば半田付けされたＩＣコネクタ（図示せず。）に着脱可能に装着されている。
【００３６】
第２の記憶部１１は、図２Ａに示すように、本来の記憶領域１１ａに加えて当該記憶領域１１ａの記憶データを同時にミラーバックアップするミラー記憶領域１１ｂを有し、バックアップ制御部１によってデータが記憶領域１１ａおよびミラー記憶領域１１ｂに読み込まれる。
【００３７】
第２の記憶部１１の記憶領域１１ａおよびミラー記憶領域１１ｂは、互いにほぼ同じ記憶領域を有し、第１の記憶部９の記憶領域１ａとほぼ同じ記憶容量になっている。
【００３８】
表示部５は、バックアップ制御部１の制御の下、データバックアップ制御装置Ａの動作状態を表示する公知の例えば液晶表示部であり、後述する「回路基板の取り外しモード」および「回路基板取り付けモード」を表示させる機能を有している。
【００３９】
入力部７は、キーボードやマウス等であり、バックアップ制御部１の制御の下、回路基板３の取り外しモードおよび取り付けモードの実行を指示する入力指示を受け付ける機能を有している。
【００４０】
バックアップ制御部１は、ＣＰＵ、このＣＰＵの起動プログラムを格納した作業用メモリ部、入出力インターフェース（いずれも図示せず。）を有し、上述した取り外しモードの入力指示に基づき第１の記憶部９の第１のデータを第２の記憶部１１のミラー記憶領域１１ｂに記憶制御するとともに、記憶された第１のデータを取り付けモードの入力指示に基づき第１の記憶部９の記憶領域９ａに記憶させる機能を有している（図２Ｂ参照）。
【００４１】
バックアップ制御部１は、取り外しモード実行時に、実データを本来の記憶領域１１ａのみに記憶制御してミラー記憶領域１１ｂに記憶させない。
【００４２】
バックアップ制御部１は、ミラー記憶領域１１ｂに記憶された第１のデータを記憶領域９ａに記憶させたとき、第２の記憶部１１の記憶領域１１ａの実データをミラー記憶領域１１ｂに記憶し直す機能も有している。
【００４３】
なお、回路基板３の取り外しモードの表示は、入力部７からの所定の操作によってなされ、回路基板取り付けモードの表示は回路基板３の装着検出によってなされる。
【００４４】
次に、本発明に係るデータバックアップ制御装置Ａの動作を図３を参照して簡単に説明する。
【００４５】
動作プログラムが開始され、ステップＳ１にて表示部５に回路基板３の取り外しモードが表示されるとともに入力部７からその実行が入力指示されると（表示入力工程）、ステップＳ２にてバックアップ制御部１が第１の記憶部９に記憶された第１のデータを第２の記憶部１１のミラー記憶領域１１ｂに記憶する（第１の記憶工程、図２Ｂ参照）。
【００４６】
ステップＳ３にて回路基板３を装置（機器）から取り外すとともに第２の記憶部１１を取り外し、同種類の新たな回路基板３に第２の記憶部１１を交換装着し、第２の記憶部１１の装着された新たな回路基板３を装置に取り付ける（交換工程）。
【００４７】
ステップＳ４では交換されたその新たな回路基板３の第２の記憶部１１にあるミラー記憶領域１１ｂの第１のデータを、バックアップ制御部１が新たな回路基板３にある第１の記憶部９に記憶させる（第２の記憶工程）。すなわち、第１のデータが新たな第１の記憶部９に戻される。
【００４８】
さらに、ステップＳ５にてバックアップ制御部１が第１の記憶部９の本来記憶領域１ａに記憶された実データをミラー記憶領域１ｂに記憶し直して終了する（再記憶工程）。
【００４９】
このような主要な処理が本発明の表示制御方法を構成する。
【００５０】
このように本発明のデータバックアップ制御装置Ａは、第１のデータを記憶する第１の記憶部９と、本来の記憶領域１１ａに加えて当該記憶領域１１ａの記憶データを同時にミラーバックアップするミラー記憶領域１１ｂを有する第２の記憶部１１とを搭載した回路基板３と、この回路基板３の取り外しモードおよび取り付けモードの入力指示を受け付ける入力部７と、その取り外しモードの入力指示に基づき第１の記憶部９の第１のデータを第２の記憶部１１のミラー記憶領域１１ｂに記憶させるとともに、記憶された第１のデータを取り付けモードの入力指示に基づき第１の記憶部９に記憶させるバックアップ制御部１と、を具備している。
【００５１】
そのため、回路基板３にある第１の記憶部９のデータをバックアップするに当たり、外部の端末装置を用意することなく、回路基板３に実装されている別の第２の記憶部１１を使用し、簡単かつ安価に、回路基板３の固有データをバックアップ可能である。
【００５２】
しかも、ミラー記憶領域１１ｂに記憶された第１のデータを第１の記憶部９に記憶させたとき、本来の記憶領域１１ａに記憶された記憶データをミラー記憶領域１１ｂに記憶し直すから、第２の記憶部１１のデータのバックアップも確保、保証される。
【００５３】
上述した構成では、第１の記憶部９が回路基板３に搭載された１個のメモリであるとして説明したが、本発明はこれに限定されない。
【００５４】
すなわち、第１の記憶部９は、第１のデータを分散記憶するために分散配置された複数のメモリであっても良く、これらの複数のメモリにある複数の第１のデータをミラー記憶領域１１ｂに記憶させる一方、ミラー記憶領域１１ｂに記憶された第１のデータを取り付けモードの入力指示に基づき、個々の第１のデータに対応する複数のメモリに各々記憶させる構成も可能である。
【００５５】
この構成では、第１の記憶部９が複数のメモリからなっていても、それらのデータのバックアップを図ることが容易である。
【００５６】
なお、回路基板３に搭載した第１の記憶部９は、必ずしも、 回路基板３の回路パターンから容易に取り外せないように接続固定されている構成に限定されず、第２の記憶部１１と同様にＩＣコネクタに着脱可能に装着されている構成であっても良い。
【００５７】
また、本発明においては、回路基板３自体の交換に限定されず、少なくとも第１の記憶部９が交換される構成であれば本発明の目的達成が可能である。
【００５８】
ところで、本発明に係るデータバックアップ制御方法では、データバックアップ制御装置と同様の効果を有し、複写機、ファクシミリ機、複合機等の画像形成装置、その他の機器において実施可能である。
【符号の説明】
【００５９】
１  バックアップ制御部
３  回路基板
５  表示部
７  入力部
９  第１の記憶部
９ａ  記憶領域
１１  第２の記憶部
１１ａ  本来の記憶領域
１１ｂ  ミラー記憶領域
Ａ  データバックアップ制御装置
【図１】
2011217250.tif 000003
【図２】
2011217250.tif 000004
【図３】
2011217250.tif 000005